(57)【要約】【課題】組み換えた机が木製ベビーベッドであったとは思えないほど見栄えがよく、かつ、使い勝手のよい木製ベビーベッドを提供する。【解決手段】この木製ベビーベッドは、左妻枠１と右妻枠２は前側のみに足１ａ、２ａが形成され、後ろ枠３の左右端に足３ａが形成されている。そして、床板５が所定の高さに左妻枠１と右妻枠２にネジ止めされている。また、前部には左妻枠１と右妻枠２に上下摺動可能に前枠４が取り付けられている。この木製ベビーベッドを机に組み換える場合は、分解して左妻枠１と右妻枠２をそれぞれ上下逆にして足１ａ、２ａのある方を後ろ枠３に連結し、床板５を左妻枠１と右妻枠２に連結する。なお、床板５には、引き出し５ａが形成されている。【選択図】 図１
2015156998.tif 000002
【特許請求の範囲】
【請求項１】
矩形の床板を高さの中程に位置させて四方を前枠と後ろ枠と左妻枠と右妻枠とで囲った木製ベビーベッドにおいて、左妻枠と右妻枠は前側のみに足を形成するとともに、後ろ枠の左右端に足を形成したものであり、これを分解して左妻枠と右妻枠をそれぞれ上下逆にして足のある方を後ろ枠に連結し、床板を該左妻枠と右妻枠に水平に固設することにより机へ組み換えできるようにしたことを特徴とする木製ベビーベッド。
【請求項２】
前記床板は、引き出しが形成されていることを特徴とする請求項１記載の木製ベビーベッド。
【請求項３】
前記床板の前端近くの下部に、両端部を左妻枠と右妻枠に固設した支持板を設け、机に組み換えるときは、これの両端部を左妻枠と右妻枠の上端に固設して棚を形成するようにしたことを特徴とする請求項１または請求項２に記載の木製ベビーベッド。
【発明の詳細な説明】
【技術分野】
【０００１】
本発明は床板を高さの中程に位置させて四方を枠で囲った木製ベビーベッドに係り、特に不要になった場合に机に組み換えられる木製ベビーベッドに関するものである。
【背景技術】
【０００２】
床板を高さの中程に位置させて、四方を木製の柵である前枠、後枠、左妻枠、右妻枠で囲い、乳児の世話がし易いように、左妻枠または右妻枠を上下に分割して上部側を開放できるようにしたものが古くから使用されている。
ところで、ベビーの成長にともなって不要になった木製ベビーベッドは、保管や処分に困っており、別のものに組み換えて使用できるようにしてほしいという要望がある。
そこで、この木製ベビーベッドを分解してその部材を組み合わせ、ソファーやラックなどに組み換えて利用できるようにしたものが種々発表されおり、この中に、机へ組み換えるようにしたものもある（例えば、特許文献１，２参照）。
【０００３】
特許文献１の木製ベビーベッドは、前枠と後ろ枠と左妻枠と右妻枠を連結して矩形枠状とし、これに、ベッド用床板と収納用底板とを取り付けて構成され、左妻枠は中央から縦に分割され、収納用底板は大小２枚を設けたものである。
そして机に組み換えるときは、分解した左妻枠を右妻枠の両端部に連結してコ状の枠体を形成し、分解した大小２枚の収納用底板の内、幅の広い方を机板として使用し、幅の狭い方を書籍棚として使用するようにしている。
【０００４】
また、特許文献２の木製ベビーベッドは、後ろ枠を上枠と下枠の上下に分割し、それぞれ一端を前枠にヒンジで連結したものである。机に組み換えるときは、ベッド用床板を外し、後ろ枠を中側へ上下互い違いに（タスキ状）回動させて収納し、床板を裏返し（板材を貼りあわせている）にして、両妻枠にネジ止めしている。
【先行技術文献】
【特許文献】
【０００５】
【特許文献１】特許第３６０８６３１号公報
【特許文献２】実公昭６３-３３５６９公報
【発明の開示】
【発明が解決しようとする課題】
【０００６】
特許文献１のミニ机兼用木製ベビーベッドは、机としての見栄えが良く、十分使用できるものであると思われる。しかしながら、床板、前枠、後ろ枠という大物は使用しないので、これの処分を考えなければならない。
また、特許文献２の木製ベビーベッドは、非常に簡便に机に組み換えられるものであるが、ベビーベッドの形態がしっかり残っており、机としての見栄えおよび使い勝手は良いものとは言えない。
【０００７】
そこで、本発明は、組み換えた机が木製ベビーベッドであったとは思えないほど見栄えがよく、かつ、使い勝手のよい木製ベビーベッドを提供することを目的としている。
【課題を解決するための手段】
【０００８】
上記の目的を達成するため、本発明の木製ベビーベッドは、次の手段を採った。すなわち、矩形の床板を高さの中程に位置させて四方を前枠と後ろ枠と左妻枠と右妻枠とで囲った木製ベビーベッドにおいて、左妻枠と右妻枠は前側のみに足を形成するとともに、後ろ枠の左右端に足を形成したものであり、これを分解して左妻枠と右妻枠をそれぞれ上下逆にして足のある方を後ろ枠に連結し、床板を該左妻枠と右妻枠に水平に固設することにより机へ組み換えできるようにしたことを特徴としている。
【０００９】
左妻枠と右妻枠は板を繋いだものでよい。後ろ枠と前枠は組子とするのが望ましい。また、床板は、引き出しを形成したものとするのが望ましい（請求項２）。また、前枠は、左妻枠と右妻枠の前端近くに上下の案内溝を設けて摺動可能とするか、前枠の下端を蝶番で連結して前方へ倒れるようにして開放できるようにする。
さらに、支持板を床板の前端近くの下部に位置させて両妻枠に固設し、机に組み換えるときは、これを両妻枠の上端に連結して棚を形成する（請求項３）ようにするとよい。
【発明の効果】
【００１０】
上記のように、本発明の木製ベビーベッドは、左妻枠と右妻枠は前側のみに足を形成するとともに、後ろ枠の左右端に足を形成したものであり、これを分解して左妻枠と右妻枠をそれぞれ上下逆にして足のある方を後ろ枠に連結し、床板を該左妻枠と右妻枠に水平に固設することにより机へ組み換えできるようにしたので、不要になった木製ベビーベッドを机として再利用することができる。しかも、組換えた机が木製ベビーベッドであったとは思えないほど見栄えがよく、使い勝手のよいものとなり、前枠以外はすべて使用でき、かつ、机にするために新たに追加する部材もほとんどない。
【図面の簡単な説明】
【００１１】
【図１】本発明の木製ベビーベッドの実施の形態を示す斜視図である。
【図２】同  木製ベビーベッドを構成する部材の展開図である。
【図３】同  机に組み換えたときの状態を示す斜視図である。
【発明を実施するための形態】
【００１２】
以下、本発明の木製ベビーベッドの実施の形態について、図面に基づいて説明する。
図１〜図３は本発明の実施の形態を示すもので、図１は木製ベビーベッドの全体を示す斜視図、図２は図１の部品展開図である。図３は机に組み換えた状態を示す斜視図である。
【００１３】
この木製ベビーベッドは、高さのほぼ中程の位置に床板５を水平に設け、その四方を左妻枠１と右妻枠２と前枠４と後ろ枠３とによって囲っている。
なお、この木製ベビーベッドは各部材をネジで結合して組立てるようにしており、搬送するときは分解して所定の大きさの段ボールに収納できるように構成されている。
【００１４】
ベビーベッドの構成部材は、図２に示すように、左妻枠１、右妻枠２、後ろ枠３、前枠４、床板５、支持板６、係合部材７、足カバー８である。
左妻枠１と右妻枠２は、板状で左右対象であり、前側に足１ａと足２ａが形成され、後ろ側には足がない。左妻枠１と右妻枠２の前端近くには縦方向の案内溝１ｂが形成されている。
後ろ枠３は、上部側に足子が形成され、左右両端下部に足３ａが形成されている。また、前枠４は、足がなく、足子が形成されたものである。
【００１５】
床板５は、枠体に引き出しを２個付設したものとしている。支持板６は、所定の幅の長尺物である。また、図２において７は、前枠４の上下摺動のために両端部に取り付けられる係合部材で、ピンと圧縮バネからなる。また、８は、床面を保護するため、前記足１ａ、２ａ、３ａに取り付けられる合成樹脂製の足カバーである。
【００１６】
上記の部材を用いてベビーベッドを組み上げるには、まず、左妻枠１と右妻枠２を後ろ枠３の両端部にそれぞれネジ止めして、平面視コ字状の枠を形成する。そして、足１ａ、２ａ、３ａに足カバー８を取り付ける。
次に、左妻枠１と右妻枠２の前端近くに、支持板６をネジ止めし、その上に床板５を載せその左右端を左妻枠１と右妻枠２にネジ止めする。
そして、前枠４に係合部材７を取り付け、これを左妻枠１と右妻枠２の案内溝１ｂ、２ｂに係合させる。なお、係合部材７は、前枠４が上端の位置で左妻枠１と右妻枠２に係止できるように構成されている。
このように組み立てられた木製ベビーベッドは、床板５上に布団等を敷き、係合部材７を操作して前枠４を上下させてベビーの世話をする。
【００１７】
次に、乳幼児が成長して木製ベビーベッドが不要になった場合、これを図３に示す机に組み換える作業について説明する。
まず、木製ベビーベッドを連結しているボルトおよびナットを取り外して、左妻枠１、右妻枠２、後ろ枠３、前枠４、床板５、支持板６、足カバー８に分解する。次に、左妻枠１と右妻枠２を足１ａ、２ａを上にして後ろ枠３の両端部にそれぞれネジ止めする。そして、床板５の両端部を左妻枠１と右妻枠２にネジ止めし、支持板６を左妻枠１と右妻枠２と後ろ枠３にネジ止めする。また、足カバー９を適宜の位置に取り付ける。そして、後ろ枠３の組子の部分を別途用意した化粧板９で塞ぐことにより完成する。
なお、化粧板９は、ここではコルクボードを使用している。
【符号の説明】
【００１８】
１  左妻枠
１ａ  足
１ｂ  案内溝
２  右妻枠
２ａ  足
２ｂ  案内溝
３  後ろ枠
３ａ  足
４  前枠
５  床板
６  支持板
７  係合部材
８  足カバー
９  化粧板
【図１】
2015156998.tif 000003
【図２】
2015156998.tif 000004
【図３】
2015156998.tif 000005